(57)【要約】      （修正有）【課題】巻尺のベルトクリップに、ベルトクリップ本来の機能と、安全に外部のフック部材に係着できるフック係着機能を持たせて、ベルトクリップによる携帯が難しい作業者のベルトに巻尺を係着する場合に、このベルトに設けた茄子環やＤフックに巻尺をコンパクトに掛けることができる巻尺のベルトクリップを提供する。【解決手段】ベルトクリップを、本来のクリップ形態にしておくときは、アーム部３ｂ上の移動体３ａをほぼ基部に位置させて移動体３ａの凸部３ｃをベース体２における係合体５の凹部５ａ内に挿入して係合させ、外部のフック部材に係着できる係着具形態にする場合は、移動体３ａをアーム部３ｂ上の先端４方向に移動してベース体２における係合体５の凹部５ａ内より凸部３ｃを出して係合を解除することによりアーム部３ｂすなわち可動クリップ体３を係着具形態に変化できるようにした。【選択図】図２
0003165952.tif 000002
【実用新案登録請求の範囲】
【請求項１】
巻尺のケースに取り付けられ、作業者のベルトに係着するためのベルトクリップにおいて、ベルトクリップが、ケースに固定するベース体と、このベース体に支持され少なくともケースとの間に前記ベルトが入る空間を形成するクリップ形態と外部のフック部材に係着する係着具形態に変化できる可動クリップ体からなり、前記可動クリップ体は、少なくとも初期位置のクリップ形態にしているときにはベルトクリップに有するロック手段によりベース体とロックでき、かつこのロック手段によるロックを解除することによって係着具形態に変化させることができるように構成してなる巻尺のベルトクリップ。
【請求項２】
前記ロック手段が、可動クリップ体上をこの基部と先端の間を移動できる移動体と、ベース体に設ける前記移動体の少なくとも一部と係合できる係合体とからなり、かつ移動体を基部寄りに位置させて同移動体の一部とベース体の係合体を係合することによって可動クリップ体をベース体とロックでき、また、移動体を先端方向に移動させることによって同移動体の一部とベース体の係合体との係合を解除できるように構成してなる請求項１に記載の巻尺のベルトクリップ。
【請求項３】
前記可動クリップ体を係着具形態に変化させた後、同可動クリップ体の先端方向に移動している移動体を基部寄りに移動することにより同移動体の少なくとも一部とベース体の係合体とを係合できて可動クリップ体をベース体とロックでき、また、移動体を先端方向に移動させることによって同移動体の一部とベース体の係合体との係合を解除できるように構成してなる請求項２に記載の巻尺のベルトクリップ。
【請求項４】
前記可動クリップ体の移動体とベース体の係合体との係合が、いずれか一方に形成した凸部が他方に形成した凹部内もしくは通孔内に挿入されることによりなされる請求項２に記載の巻尺のベルトクリップ。
【請求項５】
前記挿入を、所定の外力を加えて行うように構成してなる請求項４に記載の巻尺のベルトクリップ。
【請求項６】
前記可動クリップ体が、平面視において略Ｕ字状に形成した線状体からなり、かつ線状体の両遊端部における直交方向にはベース体に支持される回転軸がケース面とほぼ平行に接続され、この回転軸を中心に線状体をケース面の垂直方向に回動できるように構成してなる請求項１に記載の巻尺のベルトクリップ。
【請求項７】
前記ベース体と可動クリップ体のうち少なくとも可動クリップ体は弾性を有していて、この弾性により可動クリップ体の先端とケース面との間が外力によって離間可能であり、かつ弾性復元力によって初期位置に復帰できるように構成してなる請求項１に記載の巻尺のベルトクリップ。
【考案の詳細な説明】
【技術分野】
【０００１】
本考案は、巻尺を作業者のベルトに係着する際に用いる巻尺のベルトクリップに関し、より詳しくは、ベルトクリップを外部のフックに掛け易い形状に変化させることができる巻尺のベルトクリップに関する。
【背景技術】
【０００２】
従来、巻尺のベルトクリップは、図７に示すように、ヘアピン状に折曲形成したプレート体１２のプレート間に作業者が装着するベルト１３を挿嵌できるようになっていて、例えば、測定作業中に巻尺を一時保持する時や移動のため携帯する際にはプレート体１２をベルト１３に係着できる（例えば、特許文献１参照）。
【０００３】
しかし、最近では作業者が装着するベルトに係着できるように構成された工具が格段に増えたため、ベルトもこれに対応すべく多くの工具を携帯できるよう同ベルトに茄子環やＤフック等の吊り下げ具を多数並設して、ベルトに多くの工具を掛けて携帯できるようにしている。
【０００４】
このため、巻尺をベルトクリップによって係着するスペースがベルトになくなり、止むを得ず、巻尺に有する手首に掛けて用いる手下げ用ストラップ（例えば、特許文献２参照）を同ベルトの茄子環やＤフックに掛けて携帯する場合がある。
【０００５】
しかしながら、手下げ用ストラップを茄子環やＤフックに掛けて巻尺を携帯した場合、巻尺が作業者の太もも付近まで垂れ下がってしまうため、歩行の際や腰を落とした低い姿勢で行う作業の際に同巻尺が非常に邪魔になっていて、これにより、作業に集中できない恐れや、２次災害が生じる恐れがあるという問題があった。
【先行技術文献】
【特許文献】
【０００６】
【特許文献１】登録実用新案第３１３８２８６号公報（第１〜５頁、図１〜３）
【特許文献２】特開２００１−１７４２０１号公報（第１〜４頁、図５）
【考案の概要】
【考案が解決しようとする課題】
【０００７】
本考案の目的とするところは、巻尺のベルトクリップに、ベルトクリップ本来の機能と、安全に外部のフック部材に係着できるフック係着機能を持たせて、ベルトクリップによる携帯が難しい作業者のベルトに巻尺を係着する場合に、このベルトに設けた茄子環やＤフックに巻尺をコンパクトに掛けることができる巻尺のベルトクリップを提供できるようにすることにある。
【課題を解決するための手段】
【０００８】
上述した課題を解決するために、本考案に係る巻尺のベルトクリップは、巻尺のケースに取り付けられ、作業者のベルトに係着するためのベルトクリップにおいて、ベルトクリップが、ケースに固定するベース体と、このベース体に支持され少なくともケースとの間に前記ベルトが入る空間を形成するクリップ形態と外部のフック部材に係着する係着具形態に変化できる可動クリップ体からなり、前記可動クリップ体は、少なくとも初期位置のクリップ形態にしているときにはベルトクリップに有するロック手段によりベース体とロックでき、かつこのロック手段によるロックを解除することによって係着具形態に変化させることができるように構成したものとしてある。
【０００９】
また、前記ロック手段が、可動クリップ体上をこの基部と先端の間を移動できる移動体と、ベース体に設ける前記移動体の少なくとも一部と係合できる係合体とからなり、かつ移動体を基部寄りに位置させて同移動体の一部とベース体の係合体を係合することによって可動クリップ体をベース体とロックでき、また、移動体を先端方向に移動させることによって同移動体の一部とベース体の係合体との係合を解除できるように構成したものとしてある。
【００１０】
また、前記可動クリップ体を係着具形態に変化させた後、同可動クリップ体の先端方向に移動している移動体を基部寄りに移動することにより同移動体の少なくとも一部とベース体の係合体とを係合できて可動クリップ体をベース体とロックでき、また、移動体を先端方向に移動させることによって同移動体の一部とベース体の係合体との係合を解除できるように構成したものとしてある。
【００１１】
また、前記可動クリップ体の移動体とベース体の係合体との係合が、いずれか一方に形成した凸部が他方に形成した凹部内もしくは通孔内に挿入されることによりなされるものとしてある。
【００１２】
また、前記挿入を、所定の外力を加えて行うように構成したものとしてある。
【００１３】
また、前記可動クリップ体が、平面視において略Ｕ字状に形成した線状体からなり、かつ線状体の両遊端部における直交方向にはベース体に支持される回転軸がケース面とほぼ平行に接続され、この回転軸を中心に線状体をケース面の垂直方向に回動できるように構成したものとしてある。
【００１４】
また、前記ベース体と可動クリップ体のうち少なくとも可動クリップ体は弾性を有していて、この弾性により可動クリップ体の先端とケース面との間が外力によって離間可能であり、かつ弾性復元力によって初期位置に復帰できるように構成したものとしてある。
【考案の効果】
【００１５】
本考案の巻尺のベルトクリップによれば、同ベルトクリップの可動クリップ体を、巻尺の携帯者たる作業者のベルトに係着するためのクリップ形態と、外部のフック部材に係着できる係着具形態に、必要に応じて簡単に変化させることができる。
【００１６】
これにより、ベルトクリップによる係着が難しい茄子環やＤフックを設けた作業者のベルトに巻尺を係着する場合は、クリップ形態にしているベルトクリップの可動クリップ体を係着具形態に変化させることにより同可動クリップ体がベルトの茄子環やＤフックに掛けるに適した形状になり、この係着具形態に変化した可動クリップ体をベルトの茄子環やＤフックに掛けることによって巻尺をベルトクリップによる係着ができない作業者のベルトに携帯することができ、かつしっかりと携帯できるので、この携帯する巻尺が落下する恐れもゼロに等しく安全に携帯できる。
【００１７】
また、ベルトの茄子環やＤフックに掛けた巻尺は必要以上に垂れ下がらないのでコンパクトに吊り下げておくことができ、したがって歩行の際や腰を落とした低い姿勢で行う作業の際にも同巻尺が大きく揺動したり床面上を引きずることもまずなく、作業に集中することができる。
【００１８】
そして、ベルトクリップにおける可動クリップ体を安価で成形し易い弾性を有する金属の線状体で形成すれば、ベルトクリップの製造に掛かる材料費や成形費を抑制できて、形状が変化しない一般的なベルトクリップの製造費と比しても極僅かな上昇に留められるので、巻尺の市販価格を改定することもなく、従来と同じ価格でより便利で安全な巻尺を提供することができる。
【図面の簡単な説明】
【００１９】
【図１】本考案に係るベルトクリップを設けた巻尺を示す斜視図。
【図２】ベルトクリップの可動クリップ体を変化させた状態を示す斜視図。
【図３】図１における可動クリップ体の変化過程を示した図。
【図４】係着具形態の可動クリップ体を固定できるベルトクリップを示す図。
【図５】ベルトクリップの使用状態を示す図。
【図６】ベルトクリップの使用状態を示す図。
【図７】従来のベルトクリップを設けている巻尺を示す斜視図。
【考案を実施するための形態】
【００２０】
以下、本考案に係るベルトクリップを、添付図面に示す具体例に基づいて詳細に説明する。
【００２１】
本考案のベルトクリップは、図１に示すように、巻尺のケース１に固定されるベース体２と、ベース体２に対して回動できるように設けた可動クリップ体３からなっていて、かつ可動クリップ体３には、同可動クリップ体３の基部と先端４の間をスライド移動できる移動体３ａを設けている。
【００２２】
本実施例に示すベルトクリップは、前記可動クリップ体３をベース体２の一部である係合体５に設けているものを示している。
【００２３】
ベース体２は、例えば金属加工品や樹脂成型品等からなっていて、ケース１上に同ケース１を固定するための雄ねじ６によって固定している。
また図２に示すように、ベース体２の係合体５には凹部５ａを設けている。
【００２４】
可動クリップ体３は、例えば弾性を有する金属や樹脂等の線状体からなっていて、また図２に示すように、前記移動体３ａには凸部３ｃを設けている。
【００２５】
この可動クリップ体３は、図１に示した初期位置にあってクリップ形態にしているときは、可動クリップ体３の移動体３ａをアーム部３ｂ上のほぼ基部に位置させて、同移動体３ａの凸部３ｃをベース体２における係合体５の凹部５ａ内に挿入すなわち差し込んで係合している。
【００２６】
また、係合体５の凹部５ａ内に差し込んだ移動体３ａの凸部３ｃがこの凹部５ａ内より簡単に抜けないようにしていて、例えば、凸部３ｃと凹部５ａとのはめあいを容易に手で押し込める程度のしまりばめにして、手による外力を加えて差し込むように構成している。
【００２７】
そして、アーム部３ｂ上のほぼ基部に位置する移動体３ａを同アーム部３ｂ上の先端４寄りに移動することにより、係合体５の凹部５ａ内に差し込まれていた移動体３ａの凸部３ｃが同凹所５ａ内より出て、可動クリップ体３における移動体３ａの凸部３ｃとベース体２における係合体５の凹部５ａとの係合が解除されるようにしている。
【００２８】
また可動クリップ体３は、回転軸７がベース体２の係合体５に設けた軸受８に支持されていて、この回転軸７を中心にアーム部３ｂをケース１面の垂直方向に回動することにより、可動クリップ体３を、図１のクリップ形態の状態からほぼ１８０度回動した図２の係着具形態に変化できるようにしている。
【００２９】
そして、可動クリップ体３は、クリップ形態にしている時、可動クリップ体３とケース１面との間に巻尺の携帯者たる作業者のベルト９（図５を参照）を入れることのできる空間たるベルト挿通部１０（図５を参照）を形成できるようにしている。
【００３０】
さらに、可動クリップ体３は、作業者のベルト９（図５を参照）を同可動クリップ体３の先端４側よりベルト挿通部１０（図５を参照）に入れることができるよう素材の性質による弾性によって可動クリップ体３の先端４とケース１面との間が外力によって離間できて、また弾性復元力によって初期位置に復帰できるようにしている。
【００３１】
以下、上述のように構成した本考案に係る巻尺のベルトクリップの作用について説明する。
【００３２】
図３にて、可動クリップ体３が初期位置にあって図１に示したクリップ形態になっている状態から、図２に示した外部のフック部材に係着できる係着具形態に変化させる場合を説明する。
【００３３】
先ず、図３中の（ａ）に示すように、可動クリップ体３におけるアーム部３ｂ上のほぼ基部に位置する移動体３ａを、図中の矢印Ａ方向にスライドして同アーム部３ｂ上の先端４方向に移動する。
【００３４】
そうすると、ベース体２における係合体５の凹部５ａ内に差し込まれている前記移動体３ａの凸部３ｃがこの凹所５ａ内より出て、凸部３ｃと凹所５ａとの係合が解除される。
すなわち、可動クリップ体３におけるアーム部３ｂとベース体２の係合体５との係合が解除される。
【００３５】
次いで、図３中の（ｂ）に示すように、ベース体２における係合体５との係合を解除した可動クリップ体３のアーム部３ｂを図中の矢印Ｂ方向に引き起こし、図３中の（ａ）のクリップ形態になっている状態からほぼ１８０度回動させる。
【００３６】
そうすると、図３中の（ｃ）に示すように、ベルトクリップの可動クリップ体３を外部のフック部材への係着に適する係着具形態に変化できて、図６に示すように、この変化した可動クリップ体３を作業者のベルト９のフック部材１１に係着すれば、巻尺を安全にかつ邪魔なく携帯することができる。
【００３７】
また、可動クリップ体３を図１に示したクリップ形態にしている状態からほぼ１８０度回動して図２に示した外部のフック部材に係着できる係着具形態に変化させた後、同可動クリップ体３におけるアーム部３ｂ上の先端４方向に移動している移動体３ａを基部寄りに移動させ、同移動体３ａの少なくとも一部とベース体２の係合体５とを係合させて可動クリップ体３をベース体２とロックできるようにして可動クリップ体３を係着具形態に維持できるようにする場合がある。
【００３８】
具体的には、図４に示すように、ベース体２における係合体５の凹部５ａを通孔５ｂに変更してクリップ形態または係着具形態に変化した可動クリップ体３のアーム部３ｂ上における移動体３ａの凸部３ｃを挿入できるようにし、アーム部３ｂ上の先端４方向に移動している移動体３ａを基部方向に移動して同移動体３ａの凸部３ｃを係合体５の通孔５ｂに差し込んでアーム部３ｂすなわち可動クリップ体３と係合体５すなわちベース体とをロックできるようにすることで、可動クリップ体３を係着具形態に維持できるようにする。
【００３９】
また移動体３ａをアーム部３ｂ上の先端４方向に移動することで同移動体３ａの凸部３ｃが係合体５の通孔５ｂ内より出て、可動クリップ体３における移動体３ａの凸部３ｃとベース体２における係合体５の通孔５ｂとの係合を解除できる。
【００４０】
また、前述のように、ベース体２における係合体５の凹部５ａを通孔５ｂに変更してクリップ形態または係着具形態に変化した可動クリップ体３のアーム部３ｂ上における移動体３ａの凸部３ｃを挿入できるようにする場合、実施例中の図には示していないが、通孔５ｂにするのではなく凹部５ａと略背中合わせに第２の凹部を設けて、この凹部に移動体３ａの凸部３ｃを挿入させる場合がある。
【００４１】
また、本実施例では移動体３ａに凸部、係合体５に凹部もしくは通孔を設けているものを示しているが、移動体３ａに凹部もしくは通孔、係合体５に凸部を設けて構成する場合がある。
【００４２】
また、前述のように、しまりばめにより凸部と凹部もしくは通孔とを係合させた際に簡単に係合が解除しない（抜けない）ようにしているが、前記凸部、凹部、通孔における所定の部位にスリットや切断部を形成して、凸部と凹部もしくは通孔とを係合させた際に、しまりばめに加え素材の性質による弾性復元力により圧接状態に係合させてよりしっかりとした係合ができるようにする場合がある。
【００４３】
また、可動クリップ体３は、本実施例に示すような平面形状が略Ｕ字状のものの他にも、平面視において略Ｖ字状のものや、図７に示した従来のベルトクリップにおけるプレート体１２と同じように、薄いプレート状にする場合がある。
【００４４】
また、ベース体２は基本的には不可動であるが、作業者のベルト９（図５を参照）を可動クリップ体３の先端４側よりベルト挿通部１０（図５を参照）に入れる場合など、ベース体２における例えば可動クリップ体３の回転軸７を支持する軸受８を設けた少なくとも係合体５を可動クリップ体３と協動させる場合がある。
【００４５】
また、実施例中の図には示していないが、可動クリップ体３を初期位置のクリップ形態乃至外部のフック部材に係着する係着具形態に変化させたときに同可動クリップ体３のアーム部３ｂが適正位置に位置決めできるようにする場合があり、例えば、適正位置に変化したアーム部３ｂの一部分を、素材の性質による弾性などによってベース体における例えば係合体５に形成した凹所などの位置決め部に自動で嵌るようにし、かつ一定以上の力でこの位置決め部より脱出できるようにする場合がある。
【符号の説明】
【００４６】
１  ケース
２  ベース体
３  可動クリップ体
３ａ  移動体
３ｂ  アーム部
３ｃ  凸部
４  先端
５  係合体
５ａ  凹部
５ｂ  通孔
６  雄ねじ
７  回転軸
８  軸受
９  ベルト
１０  ベルト挿通部
１１  フック部材
１２  プレート体
１３  ベルト
【図１】
0003165952.tif 000003
【図２】
0003165952.tif 000004
【図３】
0003165952.tif 000005
【図４】
0003165952.tif 000006
【図５】
0003165952.tif 000007
【図６】
0003165952.tif 000008
【図７】
0003165952.tif 000009